(57)【要約】【技術課題】  パッキンシートが回転して意匠性が損なわれることのないキャップを提供する。【解決手段】  天面３を透明又は半透明に形成すると共に、前記天面３の内側に文字、図形等のラベル１１を上面に印刷したパッキンシート４を組み込むことにより、前記ラベル１１を天面３の外から透視することができるように構成した容器用キャップ２において、前記キャップ２内に組み込んだパッキンシート４が妄りに回転するのを防止するために、キャップ２側に凹部５を形成し、パッキンシート４側に凸部６を形成し、この凹部５と凸部６を係合させる。【選択図】        図  １
0003111282.tif 000002
【実用新案登録請求の範囲】
【請求項１】
天面を透明又は半透明に形成すると共に、前記天面の内側に、文字、図形等の表示面を上面に形成した円形パッキンシートを組み込むことにより、前記表示面を天面の外から透視することができるように構成した容器用キャップにおいて、前記キャップ内に組み込んだパッキンシートが自由に回転するのを阻止するために、キャップとパッキンシート間にパッキン係止手段を形成して成る容器用キャップ。
【請求項２】
前記係止手段として、キャップ側の内面に凹部を形成し、パッキンシート側に前記凹部に係合する凸部を形成して成る請求項１に記載の容器用キャップ。
【請求項３】
前記係止手段として、キャップ側の内面に凸部を形成し、パッキンシート側に前記凸部が係合する凹部を形成して成る請求項１に記載の容器用キャップ。
【請求項４】
前記天面とパッキンシートの双方に文字、記号、図形、色彩を施し、相乗で意匠性等を高めるように構成して成る請求項１に記載の容器用キャップ。
【考案の詳細な説明】
【技術分野】
【０００１】
本考案は、キャップの天面内に組み込まれたパッキンシートに対し、印刷等の手法によりラベル等を表示したときに、この表示した面を、キャップの天面の外から透視することができるように構成した容器用キャップに関するものである。
【背景技術】
【０００２】
容器のキャップの内面には、容器の口縁とのシール性能を高めるために、通常パッキンシートが組み込まれている。そして、このパッキンシートの上面に文字、図形等のラベル印刷を施すと共に、キャップの天面を透明又は半透明に形成し、ラベル面をキャップの天面の外から透視することができるように構成することによって、キャップの天面の意匠性を高めたり、商品名を表示したり、商品に関する注意書を表示したりする手法が採られたものがある。
【０００３】
このようなキャップにおいて、パッキンシートの形状が円形であって、特にスクリューねじを用いて容器本体にねじ込む所謂ねじキャップの場合、キャップの締め込み位置が定まっていて、然も、容器本体の胴の正面に形成されたラベル面とキャップ側の前記パッキンシートに形成されたラベル面との間に意匠や文字、図形に一致性を求めていた場合、キャップは定位置で締め込みが終っても、パッキンシートが回転して前記一致性が外れたりして機能しなくなることがある。
また、このような一致性を求めていない場合でも、容器本体側のラベルの正面とキャップ側のパッキンのラベル面の正面とが別々の方向を向くことがあり、容器全体の意匠性が損なわれる場合もある。
また、例えば錠剤の振り出し口の位置を示す矢印をキャップ側のパッキンシートのラベル面に表示しているような場合に、パッキンシートが回転することによって、振り出し口と矢印がずれてしまう不都合が発生することがある。
【０００４】
現在パッキンの係止手段として、実開平５−５８６０８号に掲載されたものが公知である。この公知例は「内部に装着されたパッキンの落下を防止すると共に表面にヒケが発生することがないように、天板から筒状部を垂下し、この筒状部の下端から所定長さにわたって容器の口部に形成したネジと螺合するネジ部を形成すると共に、該ネジ部の上部から天板までの間にネジ部と等しいリードを有し且つ突端にパッキンを係止する突起を有する多条ネジを形成し、容器の口部に於ける周壁と対応する位置にパッキンを押圧する押圧リブを形成」した構成である。
しかし、この公知例は、パッキンの落下を防止するもので、回転を阻止するものではない。
【０００５】
また、実用新案登録第３０１４９２４号公報には「打ち抜いたパッキングシート及び封緘シートを、上を向いたキャップ体の中に落下させ、複数の棒で押し込んだ場合、パッキングシート等がキャップ体の内部に設けた突条の内周面に引っ掛からないで、正しい位置に装着するようにして自動化の精度を高めるために、キャップ体１は、その内周壁には螺旋状のねじ等の装着手段７を備え、内部頂面６の容器口に対向する面には突条８を有し、その突条８の内側面を内部頂面６に向かう傾斜面８ｂとしたもの」が開示されている。
しかし、この公知例の場合、パッキンの回転を阻止することはできない。
【特許文献１】実開平５−５８６０８号公報
【特許文献２】実用新案登録第３０１４９２４号公報
【考案の開示】
【考案が解決しようとする課題】
【０００６】
本考案の目的は、キャップ内において、ラベル等を表示したパッキンシートが妄りに回転しない（動かない）容器用キャップを提供することである。
【課題を解決するための手段】
【０００７】
上記目的を達成するため、請求項１に記載の考案においては、容器用キャップにおいて、天面を透明又は半透明に形成すると共に、前記天面の内側に、文字、図形等の表示面を上面に形成した円形パッキンシートを組み込むことにより、前記表示面を天面の外から透視することができるように構成した容器用キャップにおいて、前記キャップ内に組み込んだパッキンシートが自由に回転するのを阻止するために、キャップとパッキンシート間にパッキン係止手段を形成して成ることを特徴とするものである。
【０００８】
更に、請求項２に記載の考案においては、請求項１に記載の容器用キャップにおいて、前記係止手段として、キャップ側の内面に凹部を形成し、パッキンシート側に前記凹部に係合する凸部を形成して成ることを特徴とするものである。
【０００９】
更に、請求項３に記載の考案においては、請求項１に記載の容器用キャップにおいて、前記係止手段として、キャップ側の内面に凸部を形成し、パッキンシート側に前記凸部が係合する凹部を形成して成ることを特徴とするものである。
【００１０】
更に、請求項４に記載の考案においては、請求項１に記載の容器用キャップにおいて、前記天面とパッキンシートの双方に文字、記号、図形、色彩を施し、相乗で意匠性等を高めるように構成して成ることを特徴とするものである。
【００１１】
［作用］
キャップ内において、パッキンシートは係止手段により係止されているため、キャップの開け閉めに際して妄りに回転しない。この結果、ラベル面の向きは常に一定となることから、意匠性が高まり、また、パッキンシートのラベル面に締め込み位置、あるいは錠剤等の振り出し口を示す矢印等があった場合には、常に正しい位置、方向をこの矢印が指すことになる。
【考案の効果】
【００１２】
本考案は以上の如き構成と作用により、次の効果を奏することができる。
１．キャップの開け閉めに際し、パッキンシートが回転しないため、キャップの天面内    に透視できるラベル面（表示面）の位置が常に一定方向を向いているため、例えば容    器本体側のラベルと一致する文字や図形等が描かれていた場合に、この一致性が損な    われることがなく、容器全体の意匠性を高めることができる。
２．キャップ内のパッキンシート側に例えば錠剤の振り出し口の位置を示す矢印等が表    示されている場合、振り出し口と矢印がずれることがない。
【実施例】
【００１３】
図１〜図５に基づいて、本考案の実施例を詳細に説明する。
図１は本考案を実施したキャップを用いた容器の斜視図、図２はキャップの内側の正面図、図３はＡ−Ａ´線断面図、図４はＢ−Ｂ´線拡大断面図、図５は他の実施例を示す要部の説明図である。
上記各図において、１は容器本体であって、この容器本体１は、プラスチック、ガラス、金属、木材等で形成したものであって、本考案において材質及び透明、不透明は問わない。
【００１４】
２は前記容器本体１のキャップであって、このキャップ２は、例えばプラスチック、ガラス等で形成されていて、容器本体１側の口部１ａの外周面に形成したスクリューねじ１ｂにキャップ２側のスクリューねじ２ａを螺合させることにより、開け閉め自在である。  ３は前記キャップ２の天面であって、この天面３は透明に形成されている。但し、キャップ全体が透明又は半透明なプラスチック又はガラスの場合は、特に天面３のみを透明化する必要がないことは勿論である。
【００１５】
４はキャップ２内の天面３の内面に張り付けるようにして組み込まれた円形のパッキンシートであって、このパッキンシート４の上面には、ラベル印刷１１が施されていて、図１に示すように、天面３の外からこのラベル印刷１１を透視することができる。
なお、実施例の容器本体１及びキャップ２の外観はともにその外形は円形であるが、この外観は、楕円形、多角形を問わない。但し、本考案は、容器本体１に対して、キャップ２はスクリューねじ２ａで開け閉めするタイプが前提のため、容器本体１側の口部１ａ及びキャップ２の内面であって、パッキンシート４が収まる位置及びパッキンシート４は円形（真円）である。
【００１６】
５はキャップ２内において、スクリューねじ２ａを縦方向にカットするようにして形成されたキャップ２側の凹部、６はパッキンシート４の外周縁７において、前記凹部５に係合している凸部であって、この凹部５と凸部６との係合関係により、パッキンシート４はその回転が阻止されている。
本実施例において、凹部５はキャップ２側のスクリューねじ２ａを縦方向にカットすることにより形成しているが、パッキンシート４は通常柔軟性を有するので、このパッキンシート４が収まる位置だけに凹部５を形成し、パッキンシート４をキャップ２の内に組み込む時に、パッキンシート４を変形させるようにしても良い。したがって、本実施例のように、スクリューねじ２ａ全体をカットして凹部５を形成するだけが凹部５の形成手段ではない。
【００１７】
また、この凹部５とパッキンシート４側の凸部６は、図５に示すようにキャップ２側に凸部８を形成し、パッキンシート４側に凹部９を形成して互いに係合させるようにしてもよい。また、本実施例において、凹部５、９と凸部６、８は１ヶ所だけに設けており、通常はこの１ヶ所で十分であるが、円周において２ヶ所以上に形成してもよい。また、凹部５、９と凸部６、８の形状は、コ字状以外に三角形状、円弧状であってもよい。また、実施例において、凹部５、９と凸部６、８はパッキンシート４の円周端面に形成しているが、邪魔とならないときは、キャップ２の天面３の内面とパッキンシート４の上面との間に形成してもよい。
上記のように、パッキンシート４の回転を防止する係止手段を形成すると、図１に示すように、容器本体１側の正面のラベル１０とキャップ２側のパッキンシート４に表示されたラベル１１は、常に正面において一致する。
【図面の簡単な説明】
【００１８】
【図１】本考案を実施した容器の斜視図
【図２】キャップの内面の正面図
【図３】Ａ−Ａ´線断面図
【図４】Ｂ−Ｂ´線拡大断面図
【図５】凹凸を逆に形成した他の実施例の説明図
【符号の説明】
【００１９】
１  容器本体
２  キャップ
３  天面
４  パッキンシート
５  凹部
６  凸部
【図１】
0003111282.tif 000003
【図２】
0003111282.tif 000004
【図３】
0003111282.tif 000005
【図４】
0003111282.tif 000006
【図５】
0003111282.tif 000007